(57)【特許請求の範囲】
【請求項１】
光源と点灯回路とを備える照明器具と、前記照明器具に対して調光信号線を介して調光信号を送信する調光装置と、を備える照明調光システムにおいて、
前記照明器具は、
前記調光信号の立ち上がりタイミングと同期して前記調光信号線を短絡及び開放するスイッチ部と、
前記照明器具自体の状態を検出する状態検出部と、を備え、
前記状態検出部により検出した照明器具の状態情報を、前記スイッチ部による前記調光信号線の短絡及び開放によって二値化信号として前記調光装置へ送信し、
前記調光装置は、
前記二値化信号を受信して取得した照明器具の状態情報をユーザに対して報知することを特徴とする照明調光システム。
【請求項２】
前記照明器具は、前記スイッチ部によって短絡される調光信号線間の短絡路に抵抗部を有し、
前記調光装置は、送出した調光信号の立ち上がりのタイミングにおいて前記抵抗部に電流が流れること、及び流れないことを検出することによって前記二値化信号を受信することを特徴とする請求項１に記載の照明調光システム。
【請求項３】
前記照明器具は、前記スイッチ部によって短絡される調光信号線間の短絡路にコンデンサ部を有し、
前記調光装置は、送出した調光信号が予め定められた電位になるまでの時間が変動すること、及び変動しないことを検出することによって前記二値化信号を受信することを特徴とする請求項１に記載の照明調光システム。
【発明の詳細な説明】
【技術分野】
【０００１】
本発明は、照明調光システムに関し、詳しくは、照明器具と該照明器具に調光信号線を介して調光信号を送信する調光装置とを備える照明調光システムに関する。
【背景技術】
【０００２】
従来から、複数種類の照明器具が、それぞれ別系統の調光信号線を介して調光装置に接続され、調光信号線を介して調光装置から送信される調光信号によって調光制御される照明システムが知られている（例えば、特許文献１参照）。この照明システムでは、照明器具に備えられた信号短絡部が当該照明器具の種類に応じた時間だけ調光信号線を短絡し、調光装置が上記短絡時間を測定することによって照明器具の種類を特定できるようになっている。調光装置は、調光信号線毎に特定した照明器具の種類（調光特性）に応じた調光信号を送信して照明器具を調光制御する。
【特許文献１】特開２００６−２７８０５９号公報
【発明の開示】
【発明が解決しようとする課題】
【０００３】
ところで、上記のような照明システムにおいて、照明器具側に生じる種々の状態変化（例えば、ランプ寿命、ランプ外れ、輝度不足等）を、新たな信号線を必要とせずに、調光装置側へ伝達できることが望まれている。上記特許文献１に記載の照明システムでは、新たな信号線を用いずに調光信号線を介して照明器具の種類を調光装置側へ伝達することができるが、伝達すべき情報の種類が多数になる場合には、調光信号線の短絡時間の長さの変化によって対応することが困難である。具体的には、上記特許文献１に記載の照明システムでは、多数の種類の情報を伝達するためには、その分だけ長い時間調光信号線を短絡する必要が生じ、照明器具に対する調光制御が不安定になる虞がある。
【０００４】
そこで、本発明は、照明調光システムにおいて、新たな信号線の敷設の必要なく、照明器具側に生じる多数種類の状態変化を、調光制御が不安定になる等の支障を生じることなく調光信号線を用いて調光装置側へ伝達することができる照明調光システムを提供することを目的とする。
【課題を解決するための手段】
【０００５】
上記目的を達成するために、請求項１の発明は、光源と点灯回路とを備える照明器具と、前記照明器具に対して調光信号線を介して調光信号を送信する調光装置と、を備える照明調光システムにおいて、前記照明器具は、前記調光信号の立ち上がりタイミングと同期して前記調光信号線を短絡及び開放するスイッチ部と、前記照明器具自体の状態を検出する状態検出部と、を備え、前記状態検出部により検出した照明器具の状態情報を、前記スイッチ部による前記調光信号線の短絡及び開放によって二値化信号として前記調光装置へ送信し、前記調光装置は、前記二値化信号を受信して取得した照明器具の状態情報をユーザに対して報知することを特徴とする。
【０００７】
請求項２の発明は、請求項１に記載の照明調光システムにおいて、前記照明器具は、前記スイッチ部によって短絡される調光信号線間の短絡路に抵抗部を有し、前記調光装置は、送出した調光信号の立ち上がりのタイミングにおいて前記抵抗部に電流が流れること、及び流れないことを検出することによって前記二値化信号を受信することを特徴とする。
【０００８】
請求項３の発明は、請求項１に記載の照明調光システムにおいて、前記照明器具は、前記スイッチ部によって短絡される調光信号線間の短絡路にコンデンサ部を有し、前記調光装置は、送出した調光信号が予め定められた電位になるまでの時間が変動すること、及び変動しないことを検出することによって前記二値化信号を受信することを特徴とする。
【発明の効果】
【０００９】
請求項１の発明によれば、調光信号線を短絡及び開放することによって二値化信号を調光装置へ送信するので、新たな信号線を必要とすることなく、照明器具側に生じる多数種類の状態変化を、調光制御が不安定になる等の支障を生じることなく調光装置側へ伝達することができる。
【００１１】
請求項２の発明によれば、調光装置は、調光信号線間に設けられた抵抗部に電流が流れること、及び流れないことを検出することによって二値化信号を受信するので、調光信号線間が直接短絡される構成に比べて照明器具及び調光装置にかかる負荷が軽減される。
【００１２】
請求項３の発明によれば、調光装置は、調光信号が予め定められた電位になるまでの時間が変動すること、及び変動しないことを検出することによって二値化信号を受信するので、調光信号線間が直接短絡される構成に比べて照明器具及び調光装置にかかる負荷が軽減される。
【発明を実施するための最良の形態】
【００１３】
（第１の実施形態）
以下、本発明の第１の実施形態に係る照明調光システムについて、図１乃至図１１を参照して説明する。本実施形態の照明調光システム１は、図１に示されるように、４系統の調光信号線Ｌ１、Ｌ２、Ｌ３、Ｌ４に対して調光信号Ｓを送信する調光装置２と、ユーザが操作して調光装置２に対して操作信号を出力するリモコン３と、各調光信号線Ｌ１、Ｌ２、Ｌ３、Ｌ４にそれぞれ接続された蛍光灯照明器具Ｆａ、Ｆｂ、白熱灯照明器具Ｒ、及びＬＥＤ照明器具Ｅとを備える。
【００１４】
調光信号Ｓは、ＰＷＭ（Ｐｕｌｓｅ  Ｗｉｄｔｈ  Ｍｏｄｕｌａｔｉｏｎ）信号であり、図２に示されるように、オン時間ｔｏｎとオフ時間ｔｏｆｆが一定の周期Ｔで繰り返され、オン時間ｔｏｎの電圧Ｖを有する信号である。周期Ｔに対するオン時間ｔｏｎの割合がオンデューティである。
【００１５】
調光信号線Ｌ１、Ｌ２、Ｌ３、Ｌ４は、図１では１本の線に示されているが、実際には並行した２本の線から構成される。各照明器具Ｆａ、Ｆｂ、Ｒ、Ｅは、それぞれ光源としての蛍光灯、白熱灯、ＬＥＤと、それらの点灯回路を備え、入力される調光信号Ｓのオンデューティに応じた光出力で点灯する。例えば、図３に示されるように、蛍光灯光源と白熱灯光源は、調光信号Ｓのオンデューティの増加に対してほぼ反比例して光出力が減少し、ＬＥＤ光源は調光信号Ｓのオンデューティの増加に対して指数関数状に光出力が増加するように制御される。なお、蛍光灯照明器具Ｆａ、Ｆｂ、白熱灯照明器具Ｒ、及びＬＥＤ照明器具Ｅは、各調光信号線Ｌ１、Ｌ２、Ｌ３、Ｌ４に対して、それぞれ複数台が並列に接続されてもよい。
【００１６】
調光装置２は、商用電源２１から電源回路２２を介して所定の動作電圧を供給される判別部２３と、判別部２３によって制御され各調光信号線Ｌ１、Ｌ２、Ｌ３、Ｌ４に所定の調光信号Ｓを出力する調光信号駆動部２４と、各調光信号線Ｌ１、Ｌ２、Ｌ３、Ｌ４の短絡を検知する短絡検知部２５と、短絡検知部２５によって検知される短絡に基づいて二値化データを生成する二値化部２６と、二値化部２６によって生成された二値化データに対応する通信スタート等の制御情報を含む照明器具の状態情報を格納したテーブル２７と、リモコン３からの操作信号を受信するリモコン入力部２８と、判別部２３が判別した照明器具の状態を表示する液晶パネル等の報知部２９と、を備える。
【００１７】
短絡検知部２５は、各調光信号線Ｌ１、Ｌ２、Ｌ３、Ｌ４を構成する２本の信号線間の電圧を検出することによって、短絡を検知する。二値化部２６は、調光信号駆動部２４が出力する調光信号Ｓの立ち上がりタイミングと、短絡検知部２５が検出する短絡のタイミングとに基づいて二値化データを生成する。具体的には、二値化部２６は、調光信号Ｓの立ち上がりタイミングにおいて、短絡が検出されたとき（照明器具から返信される調光信号Ｓの電圧が立ち上がらないとき）に二値化データの「１」を生成し、短絡が検出されないとき（照明器具から返信される調光信号Ｓの電圧が立ち上がるとき）に二値化データの「０」を生成する。二値化データの生成手順の詳細については、後述する。
【００１８】
判別部２３は、マイクロプロセッサから構成され、リモコン入力部２８を介してリモコン３から適宜のコマンド（例えば、「蛍光灯照明器具Ｆａを光出力５０％で点灯する」等）を受信したときに、制御対象の照明器具Ｆａが指定された光出力（５０％）になるように、図３に示された関係に基づいて調光信号線Ｌ１の調光信号駆動部２４が適正なオンデューティ値の調光信号Ｓを出力するように制御する。また、判別部２３は、いずれかの調光信号線Ｌ１、Ｌ２、Ｌ３、Ｌ４の短絡検知部２５が短絡を検知したとき、その短絡に基づいて二値化部２６が生成する二値化データを取得し、取得した二値化データの４ビット毎に対応する照明器具の状態情報をテーブル２７を参照することによって取得して報知部２９に表示する。
【００１９】
テーブル２７に格納された二値化データに対する照明器具の状態情報（制御情報を含む）の例を図４に示す。例えば、二値化データ「００００」には照明器具の状態情報として「ランプ寿命」が対応し、二値化データ「０１０１」には通信の終了を意味する制御情報としての「エンド」が対応し、二値化データ「１０１０」には通信の開始を意味する制御情報としての「スタート」が対応する。
【００２０】
次に、照明器具Ｆａ、Ｆｂ、Ｒ、Ｅを代表して蛍光灯照明器具Ｆａの構成について、図５乃至図８を参照して説明する。蛍光灯照明器具Ｆａは、図５に示されるように、光源としての蛍光灯３１と、蛍光灯３１の点灯回路３２と、蛍光灯３１の状態を状態種別毎に検出する状態検出部３３と、状態検出部３３が出力する状態種別毎の状態信号ｃｓを受信して種別毎に異なった動作態様で調光信号線Ｌ１を短絡するスイッチ部３８と、を備える。点灯回路３２は、商用電源３４からの電源の電圧、電流等を所定の値に変換する電源部３５と、電源部３５によって所定の電圧に変換された電力の発振周期を蛍光灯３１の点灯周期に変換する発振回路部３６と、発振回路部３６によって変換される発振周期を調光信号Ｓのオンデューティに応じた値に制御する発振周期制御部３７と、を備える。
【００２１】
発振周期制御部３７は、スイッチ部３８を介して調光信号線Ｌ１に接続されており、調光信号Ｓのオンデューティに応じて発振周期を変更して蛍光灯３１を所定の出力で発光させる。例えばオンデューティが９０％の調光信号Ｓが調光信号線Ｌ１を介して入力されたとき、発振周期制御部３７は、その調光信号Ｓに応じて発振回路部３６の発振周期を制御し、蛍光灯３１を約１０％の出力で発光させる。
【００２２】
状態検出部３３は、例えば、蛍光灯３１に流れるランプ電流の波形が変形したことを検出することによって蛍光灯３１のランプ寿命が近づいている状態を検出し（状態Ａ）、蛍光灯３１が正常にソケットに装着されている状態では蛍光灯３１の端子に流れる微小な電流が流れなくなったことを検出することによって蛍光灯３１のランプがソケットから外れた状態を検出する（状態Ｂ）ものであり、検出した状態の種別毎に異なった状態信号ｃｓをスイッチ部３８へ出力する。
【００２３】
状態検出部３３が検出する状態には、上記状態Ａ、Ｂの他にもランプ輝度の補正のための照度データ、照明器具を非常灯・誘導灯として用いる場合の二次電池の充電電流の有無、二次電池の充電電圧の適否等がある。ランプ輝度の補正のための照度データは、ランプの近くに設けた輝度センサから周囲環境の明るさを含めた照度データとして出力させることができる。この照度データが状態情報として調光装置２に伝達され、照度データを受信した調光装置２は、照明器具の周囲環境の明るさを含んだ明るさ（照度データの値）がユーザの指示する明るさになるように調光信号Ｓのオンデューティを調整して出力する。
【００２４】
スイッチ部３８は、図６に示すように、調光信号線Ｌ１に並列に接続された常時オフのトランジスタ４１と、状態検出部３３からの状態信号ｃｓをインタフェース４２を介して受信し、状態信号ｃｓに含まれた状態情報に基づいてトランジスタ４１を異なった動作態様でオン・オフさせる制御部４３と、調光信号線Ｌ１に流れる調光信号Ｓの立ち上がり、立ち下りを検出して制御部４３へ調光信号Ｓとの同期信号ｓｓを与える信号同期部４４と、を備える。制御部４３は、マイクロプロセッサから構成され、状態情報毎に異なった二値化データが格納されたテーブル４５ａと制御情報毎に異なった二値化データが格納されたテーブル４５ｂとが接続されている。なお、テーブル４５ａとテーブル４５ｂは、図６において１つのテーブル４５として示されている。
【００２５】
テーブル４５ａに格納された状態情報に対応する二値化データの例を図７に示す。例えば、状態Ａ（ランプ寿命）に対して二値化データ「００００」が規定され、状態Ｂ（ランプ外れ）に対して二値化データ「０００１」が規定され、・・状態Ｚに対して二値化データ「１１１１」が規定されている。また、テーブル４５ｂに格納された制御情報に対応する二値化データの例を図８に示す。制御情報「スタート」（通信開始）に対して二値化データ「１０１０」が規定され、制御情報「エンド」（通信終了）に対して二値化データ「０１０１」が規定されている。制御情報に対応付けて規定された二値化データ「１０１０」と「０１０１」は、状態情報に対応付けた二値化データとして規定されていない。
【００２６】
次に、制御部４３の動作について、図９を参照して説明する。図９は、上から順に調光装置２の動作開始タイミング、状態検出部３３の状態信号ｃｓの出力タイミング、制御部４３のトランジスタオン信号ｔｓの出力タイミング、及び調光信号線Ｌ１間の電圧を示す。いま、時刻ｔ１において調光装置２の電源が投入されると、調光装置２の調光信号駆動部２４が所定のオンデューティの調光信号Ｓの送信を開始する。時刻ｔ２において蛍光灯照明器具Ｆａの状態検出部３３が状態（例えば、状態Ａ）を検知して、状態の種別に応じた状態信号ｃｓを制御部４３へ出力する。
【００２７】
状態信号ｃｓを受信した制御部４３は、まず、テーブル４５ｂを参照して制御情報「スタート」に対応する二値化データ「１０１０」を取得し、信号同期部４４から出力されている同期信号ｓｓに同期させてトランジスタオン信号ｔｓをオン、オフ、オン、オフする。これによって調光信号線Ｌ１が短絡、開放、短絡、開放され、調光信号線Ｌ１間の電圧が、立ち上がらない状態、立ち上がった状態、立ち上がらない状態、立ち上がった状態と変化する（スタート信号）。
【００２８】
次に、制御部４３は、テーブル４５ａを参照して状態情報Ａに対応する二値化データ「００００」を取得し、同期信号ｓｓに同期させてトランジスタオン信号ｔｓをオフ、オフ、オフ、オフする。これによって調光信号線Ｌ１は開放を続け、調光信号線Ｌ１間の電圧は、調光装置２から送信された調光信号Ｓ通りの立ち上がった状態（パルス）を所定周期Ｔで繰り返す（状態信号）。
【００２９】
次に、制御部４３は、テーブル４５ｂを参照して制御情報「エンド」に対応する二値化データ「０１０１」を取得し、同期信号ｓｓに同期させてトランジスタオン信号ｔｓをオフ、オン、オフ、オンする。これによって調光信号線Ｌ１が開放、短絡、開放、短絡され、調光信号線Ｌ１間の電圧が、立ち上がった状態、立ち上がらない状態、立ち上がった状態、立ち上がらない状態と変化する（エンド信号）。調光信号線間電圧が立ち上がった状態を「０」、立ち上がらない状態を「１」とすると、制御部４３は、時刻ｔ２からのトランジスタ４１のオン・オフ制御によって「１０１００００００１０１」の二値化信号を送信したことになる。
【００３０】
次に、上記二値化信号を受信する調光装置２の判別部２３の動作について説明する。判別部２３は、調光信号線Ｌ１の短絡検知部２５が蛍光灯照明器具Ｆａから返信されてくる調光信号Ｓの電圧が時刻ｔ２において立ち上がらないこと（図９参照）を検知すると、二値化部２６を動作させて二値化データを生成させる。判別部２３は、二値化部２６が生成する二値化データが４ビットずつ揃った時点で、テーブル２７を参照して二値化データに対応する情報を取得する。具体的には、判別部２３は、最初の４ビット「１０１０」に対応して制御情報「スタート」（通信開始）を取得し、次の４ビット「００００」に対応して状態情報Ａ（ランプ寿命）を取得し、次の４ビット「０１０１」に対応して制御情報「エンド」（通信終了）を取得する。
【００３１】
状態情報Ａ（ランプ寿命）を取得した判別部２３は、その状態情報を報知部２９に表示する。ユーザは、調光装置２の報知部２９に表示された状態情報を見ることによって、蛍光灯照明器具Ｆａのランプの寿命が近いことを知ることができる。判別部２３が状態情報として前述の照度データを受信した場合には、判別部２３は、蛍光灯照明器具Ｆａの輝度が、ユーザがリモコン３を用いて入力した照度になるように調光信号駆動部２４から出力される調光信号のオンデューティを調整する。
【００３２】
なお、本実施形態では、照明器具は、状態信号の前にスタート信号を送信し、後にエンド信号を送信するが、後のエンド信号は省略されてもよい。また、本実施形態では、照明器具が送信する信号（スタート信号、状態信号、エンド信号）は、４ビットで構成されたが、他のビット数で構成されてもよい。
【００３３】
白熱灯照明器具Ｒ及びＬＥＤ照明器具Ｅの構成は、図１０及び図１１に示されるように、蛍光灯照明器具Ｆａとほぼ同様であり、異なる部分は、光源が白熱灯４１及びＬＥＤ５１であり、点灯回路３２の発振回路部３６と発振周期制御部３７が出力位相角の変換回路に構成されている点である。同一の構成部分には、同一番号を付して説明を省略する。具体的には、電源部３５によって所定の電圧に変換された電力の出力位相角を、調光信号Ｓに応じた値に変換する信号変換部４３と、信号変換部４３によって変換された電力の出力部４２とを備える。信号変換部４３は、それぞれ調光信号線Ｌ３、Ｌ４を介して入力される調光信号Ｓのオンデューティに応じて出力位相角を変換して白熱灯４１、及びＬＥＤ５１を所定の出力で発光させる。
【００３４】
白熱灯照明器具Ｒ及びＬＥＤ照明器具Ｅについても、蛍光灯照明器具Ｆａと同様に、状態検出部３３が状態の変化を検知したときには、状態信号ｃｓをスイッチ部３８へ出力し、テーブル４５を参照して検知した状態に対応する二値化データに基づいたタイミングで調光信号線Ｌ３、Ｌ４を短絡し、調光装置２へ二値化信号を送信する。
【００３５】
なお、テーブル４５ａに規定される二値化データを蛍光灯照明器具Ｆａ、白熱灯照明器具Ｒ、及びＬＥＤ照明器具Ｅ毎に重複しない値に設定することにより、調光装置２の判別部２３が、取得する二値化データに基づいて二値化信号を送信している照明器具の種類を判別することができる。
【００３６】
具体的には、例えば、蛍光灯照明器具Ｆａのテーブル４５ａには、状態Ａ、Ｂに対応する二値化データとして「００００」、「０００１」が規定され、白熱灯照明器具Ｒのテーブル４５ａには、状態Ａ、Ｂに対応する二値化データとして「１０００」、「１００１」が規定され、ＬＥＤ照明器具Ｅのテーブル４５ａには、状態Ａ、Ｂに対応する二値化データとして「１１００」、「１１０１」が規定されるように構成する。上記のように構成することにより、調光装置２の判別部２３は、二値化データの相違に基づいて、同じ状態（例えば、状態Ａ）の信号を受信する場合であっても、当該状態信号を送信している照明器具の種類を判別することができる。
【００３７】
（第２の実施形態）
第２の実施形態に係る照明調光システムについて、図１２、１３を参照して説明する。第２の実施形態の照明調光システム１は、第１の実施形態の照明調光システム１とほぼ同一の構成であり、異なる点は、照明器具Ｆａ、Ｆｂ、Ｒ、Ｅのスイッチ部３８によって短絡される調光信号線Ｌ１、Ｌ２、Ｌ３、Ｌ４間の短絡路に抵抗部が備えられる点と、スイッチ部３８のトランジスタ４１がオンされると調光信号線Ｌ１、Ｌ２、Ｌ３、Ｌ４間に抵抗部の抵抗値に応じた短絡電流が流れ、調光装置２の短絡検知部２５は、上記短絡電流を検出することによって調光信号線が短絡されたことを検知する点である。
【００３８】
代表的に蛍光灯照明器具Ｆａについて、次に説明する。図１２において、第１の実施形態における蛍光灯器具Ｆａと同一構成部分には同一番号を付して説明を省略する。スイッチ部３８によって短絡される調光信号線Ｌ１間の短絡路Ｌｓに直列に抵抗部５２が備えられ、トランジスタ４１がオンすることによって調光信号線Ｌ１に抵抗部５２の抵抗値に応じた短絡電流ｉｓが流れるように構成されている。
【００３９】
第２の実施形態における調光信号線Ｌ１に流れる電流の態様について、具体的に説明する。いま、照明器具から調光装置２へ送信される状態信号は、前記例と同様に状態Ａに相当する「００００」であるとする。照明器具の制御部４３が、図１３に示されるように、時刻ｔ２からトランジスタ４１を、同期信号ｓｓに同期させて、オン、オフ、オン、オフ、オフ、オフ、オフ、オフ、オフ、オン、オフ、オンすることによって、調光信号線Ｌ１間に流れる電流がトランジスタ４１のオンに対応して流れる状態、オフに対応して流れない状態と変化する。短絡電流ｉｓが流れる状態を「１」、流れない状態を「０」とすると、第１の実施形態の場合の例と同様に、二値化信号「１０１００００００１０１」が送信されたことになる。
【００４０】
第２の実施形態における調光装置２の短絡検知部２５は、２本の調光信号線Ｌ１間の電圧を計測する第１の実施形態とは異なり、調光信号線Ｌ１に流れる電流値を計測し、調光信号Ｓの立ち上がりのタイミングにおいて短絡電流ｉｓが流れることを検知したときに調光信号線Ｌ１間に短絡が生じ、流れないことを検知したときに調光信号線Ｌ１が開放されたことを検知する。以後、調光装置２は、上記短絡、開放の検知タイミングに応じて二値化部２６が生成する二値化データを取得し、取得した二値化データに対応する状態情報をテーブル２７を参照して取得し、取得した状態情報を報知部２９に表示する。
【００４１】
従って、本実施形態の照明調光システム１においても、ユーザは、調光装置２の報知部２９に表示された状態情報を見ることによって、照明器具Ｆａ、Ｆｂ、Ｒ、Ｅに種々の状態のうちの特定の状態が生じたことを知ることができる。また、本実施形態の照明調光システム１では、短絡路Ｌｓに抵抗部５２が備えられることによって、調光信号線Ｌ１、Ｌ２、Ｌ３、Ｌ４間が短絡されたときに調光信号線に大きな電流が流れることが防止されるので、短絡路Ｌｓに抵抗部５２が挿入されていない第１の実施形態に比べて各照明器具Ｆａ、Ｆｂ、Ｒ、Ｅ、及び調光装置２にかかる負荷が軽減される。
【００４２】
（第３の実施形態）
第３の実施形態に係る照明調光システムについて、図１４乃至図１６を参照して説明する。第３の実施形態の照明調光システム１は、第１の実施形態の照明調光システム１とほぼ同一の構成であり、異なる点は、各調光信号線Ｌ１、Ｌ２、Ｌ３、Ｌ４間の短絡路Ｌｓにコンデンサ部５３が備えられる点と、スイッチ部３８のトランジスタ４１がオンされたときに該コンデンサ部５３によって調光信号線Ｌ１、Ｌ２、Ｌ３、Ｌ４に流れる調光信号Ｓの立ち上がりと立ち下りに鈍りが付与され、調光装置２の短絡検知部２５は、鈍りが付与された調光信号Ｓが所定の電位に立ち上がるまでの時間が変化することを検知することによって調光信号線Ｌ１、Ｌ２、Ｌ３、Ｌ４が短絡されたことを検知する点である。
【００４３】
代表的に蛍光灯照明器具Ｆａについて、次に説明する。図１４において、第１の実施形態における蛍光灯器具Ｆａと同一構成部分には同一番号を付して説明を省略する。スイッチ部３８によって短絡される調光信号線Ｌ１間の短絡路Ｌｓに直列にコンデンサ部５３が備えられ、トランジスタ４１がオンすることによって調光信号線Ｌ１に流れる調光信号Ｓの電流が短時間だけコンデンサ部５３に蓄積される。
【００４４】
第３の実施形態における調光信号線Ｌ１に流れる調光信号Ｓの態様について、具体的に説明する。いま、照明器具から調光装置２へ送信される状態信号は、前記例と同様に状態Ａに相当する「００００」であるとする。照明器具の制御部４３が、図１５に示されるように、時刻ｔ２からトランジスタ４１を、同期信号ｓｓに同期させて、オン、オフ、オン、オフ、オフ、オフ、オフ、オフ、オフ、オン、オフ、オンすることによって、調光信号線Ｌ１の調光信号Ｓの電圧に、トランジスタ４１のオンに対応するタイミングで鈍りが付与される。
【００４５】
第３の実施形態における調光装置２の短絡検知部２５は、２本の調光信号線Ｌ１間の電圧が予め定められた電位に到達するまでの時間（到達時間）を計測し、トランジスタ４１がオフであるときの到達時間に比べて変動したときに調光信号線Ｌ１間に短絡が生じたことを検知し、変動がないときに調光信号線Ｌ１間が開放されたことを検知する。以後、調光装置２は、上記短絡、開放の検知タイミングに応じて二値化部２６が生成する二値化データを取得し、取得した二値化データに対応する状態情報をテーブル２７を参照して取得し、取得した状態情報を報知部２９に表示する。
【００４６】
図１６に鈍りが付与された調光信号Ｓの形態を示す。ここで、予め定められた電位Ｖｓに到達するまでの時間Ｔｓは、短絡路Ｌｓが短絡されず鈍りが付与されない場合の調光信号Ｓの到達時間に比べて長くなっており、短絡検知部２５が容易に検知することができる。
【００４７】
以上のように、本実施形態の照明調光システム１においても、ユーザは、調光装置２の報知部２９に表示された状態情報を見ることによって、照明器具Ｆａ、Ｆｂ、Ｒ、Ｅに種々の状態のうちの特定の状態が生じたことを知ることができる。また、本実施形態の照明調光システム１では、短絡路Ｌｓにコンデンサ部５３が備えられることによって、調光信号線Ｌ１、Ｌ２、Ｌ３、Ｌ４間が短絡されたときに、調光信号線に大きな電流が流れることが防止されるので、短絡路Ｌｓにコンデンサ部５３が挿入されていない第１の実施形態に比べて各照明器具Ｆａ、Ｆｂ、Ｒ、Ｅ、及び調光装置２にかかる負荷が軽減される。
【図面の簡単な説明】
【００４８】
【図１】本発明の第１の実施形態に係る照明調光システムのブロック図。
【図２】同照明調光システムにおける調光信号の例を示す図。
【図３】同照明調光システムにおける蛍光灯照明器具、白熱灯照明器具、及びＬＥＤ照明器具の調光信号のオンデューティに対する光出力の関係を示す図。
【図４】同照明調光システムにおける調光装置のテーブルに格納された二値化データと情報の対応を示す図。
【図５】同照明調光システムにおける蛍光灯照明器具のブロック図。
【図６】同照明調光システムにおける蛍光灯照明器具のスイッチ部のブロック図。
【図７】同照明調光システムにおける蛍光灯照明器具のテーブルに格納された状態情報と二値化データの対応を示す図。
【図８】同照明調光システムにおける蛍光灯照明器具のテーブルに格納された制御情報と二値化データの対応を示す図。
【図９】同照明調光システムにおける調光装置の動作開始タイミング、状態信号の出力タイミング、トランジスタオン信号の出力タイミング、及び調光信号線間電圧の態様を示す図。
【図１０】同照明調光システムにおける白熱灯照明器具のブロック図。
【図１１】同照明調光システムにおけるＬＥＤ照明器具のブロック図。
【図１２】本発明の第２の実施形態に係る照明調光システムにおける蛍光灯照明器具のブロック図。
【図１３】同照明調光システムにおける調光装置の動作開始タイミング、状態信号の出力タイミング、トランジスタオン信号の出力タイミング、及び短絡電流の態様を示す図。
【図１４】本発明の第３の実施形態に係る照明調光システムにおける蛍光灯照明器具のブロック図。
【図１５】同照明調光システムにおける調光装置の動作開始タイミング、状態信号の出力タイミング、トランジスタオン信号の出力タイミング、及び調光信号線間電圧の態様を示す図。
【図１６】同照明調光システムにおける鈍りを付与された調光信号を示す図。
【符号の説明】
【００４９】
１  照明調光システム
２  調光装置
３１  蛍光灯（光源）
３２  点灯回路
３８  スイッチ部
４１  白熱灯（光源）
５１  ＬＥＤ（光源）
５２  抵抗部
５３  コンデンサ部
Ｌ１、Ｌ２、Ｌ３、Ｌ４  調光信号線
Ｌｓ  短絡路
Ｆａ、Ｆｂ  蛍光灯照明器具（照明器具）
Ｒ  白熱灯照明器具（照明器具）
Ｅ  ＬＥＤ照明器具（照明器具）
Ｓ  調光信号
【図１】
0004971076.tif 000002
【図２】
0004971076.tif 000003
【図３】
0004971076.tif 000004
【図４】
0004971076.tif 000005
【図５】
0004971076.tif 000006
【図６】
0004971076.tif 000007
【図７】
0004971076.tif 000008
【図８】
0004971076.tif 000009
【図９】
0004971076.tif 000010
【図１０】
0004971076.tif 000011
【図１１】
0004971076.tif 000012
【図１２】
0004971076.tif 000013
【図１３】
0004971076.tif 000014
【図１４】
0004971076.tif 000015
【図１５】
0004971076.tif 000016
【図１６】
0004971076.tif 000017